(57)【要約】【課題】使い捨て着用物品にＺ字形または逆Ｚ字形に折り重ねられて取り付けられたテープ状ファスナがそれを使用する前に不必要に剥離して長く延びることを防止する。【解決手段】着用物品１に取り付けられてＺ字形または逆Ｚ字形に折り重ねられているテープ状ファスナ３０が自由端部を有する頂部テープ３１と、着用物品１の着衣当接面に固定された底部テープ３２と、頂部テープ３１，底部テープ３２間に介在する中間部テープ３３とからなり、中間部テープ３３の内端部４６が底部テープ３２の内端部４１につながるとともに、その内端部４１を越えて着用物品１の内方へ延びて着用物品１の着衣当接面に剥離可能に接合される。底部テープ３２の外端部４２と中間部テープ３３の外端部４７とがつながる部位の近傍においてＺ字形または逆Ｚ字形に折り重ねられて向かい合うテープ片の外面ｎどうしは非接合状態にある。【選択図】図２
2004154561.tif 000002
【特許請求の範囲】
【請求項１】
肌当接面と着衣当接面とを有し、周縁が胴周り方向ヘ並行して延びる前端縁部と後端縁部と前記胴周り方向と交差して縦方向ヘ並行して延びる一対の側縁部とによって形成され、前記縦方向には股下域を中心に前記前端縁部側に前胴周り域が形成される一方、前記後端縁部側に後胴周り域が形成されていて前記前後胴周り域それぞれの側縁部どうしが取り外し可能および取り外し不能のいずれかの態様で連結されて胴周り開口と一対の脚周り開口とが形成され、前記着衣当接面における前記前後胴周り域いずれかには前記側縁部それぞれに前記胴周り方向へ延びるテープ状ファスナが取り付けられており、前記テープ状ファスナを形成しているテープ片が、その長さ方向で対向する固定端部と摘持可能な自由端部とを有し、前記固定端部が剥離不能に前記着衣当接面に固定され、前記自由端部を摘持して前記胴周り方向へ引張ると前記固定端部から前記自由端部へ向かう方向へ伸展可能であり、さらに前記テープ片は、伸展したときに前記着衣当接面側となる内面とその反対側の外面とのうちの前記内面の少なくとも一部分に前記肌当接面および前記着衣当接面いずれかの所要部位に対するファスニング手段を有している使い捨て着用物品において、
前記テープ片は、前記固定端部から自由端部へ向かう方向へ伸展し得るようにＺ字形および逆Ｚ字形のいずれかに折り重ねられており、その折り重ねられた状態の上方に位置していて前記長さ方向において前記自由端部と前記自由端部に対向する第１端部とを有してこれら両端部間における前記内面に前記ファスニング手段を有している第１テープ部と、前記第１テープ部と前記着衣当接面との間に位置していて前記着衣当接面と向かい合っており前記固定端部とこの固定端部に対向する第２端部とを有する第２テープ部と、前記第１テープ部と前記第２テープ部との間に介在してこれら両テープ部を連結する前記第３テープ部とを有し、前記第３テープ部は、一端部が前記第１テープ部の前記第１端部につながるとともに前記一端部の反対端部が前記第２テープ部の前記第２端部につながり、前記一端部と前記反対端部との間において前記第１テープ部に前記ファスニング手段を介して剥離可能に接合し、かつ、前記一端部が前記第２テープ部の前記固定端部を越えて前記胴周り方向へ延びて前記着衣当接面に剥離可能に接合しており、前記第２テープ部の前記第２端部と前記第３テープ部の前記反対端部とがつながる部位の近傍において前記Ｚ字形および逆Ｚ字形のいずれかに折り重ねられて向かい合う前記テープ片の外面どうしが非接合状態にあることを特徴とする前記使い捨て着用物品。
【請求項２】
前記ファスニング手段が前記内面に塗布されている粘着剤である請求項１記載の使い捨て着用物品。
【請求項３】
前記ファスニング手段が互いに係合、離脱するフック部材とループ部材とからなるメカニカルファスナの前記フック部材を前記内面に取り付けることによって形成され、前記所要部位が前記ループ部材を有している請求項１記載の使い捨て着用物品。
【請求項４】
前記ループ部材が前記肌当接面と前記着衣当接面とのいずれかを形成している不織布である請求項３記載の使い捨て着用物品。
【請求項５】
前記第１テープ部の前記第１端部が前記第３テープ部の前記一端部を越えて前記胴周り方向へ延びて前記着衣当接面に剥離可能に接合している請求項１〜４のいずれかに記載の使い捨て着用物品。
【請求項６】
前記第３テープ部の前記一端部が前記第２テープ部の前記固定端部を越えて前記胴周り方向へ延びる寸法が１〜１５ｍｍの範囲にある請求項１〜５のいずれかに記載の使い捨て着用物品。
【請求項７】
前記着用物品が開放型の使い捨ておむつおよびパンツ型の使い捨ておむつのいずれかである請求項１〜６のいずれかに記載の着用物品。
【発明の詳細な説明】
【技術分野】
【０００１】
この発明は、テープ状ファスナを有する使い捨て着用物品、より詳しくはテープ状ファスナを有する開放型の使い捨ておむつやパンツ型の使い捨ておむつ等の使い捨ての着用物品に関する。
【背景技術】
【０００２】
実開平６−７７７１９号公報（特許文献１）に開示のパンツ型の使い捨ておむつは、液透過性の表面シート、液不透過性の裏面シートおよびこれら両シート間に介在する吸収体を有し、このおむつの前後のウエスト部は互いにそれぞれが接合されてウエスト開口部およびレッグ開口部を形成している。このパンツ型おむつは、ウエスト開口部とレッグ開口部との中間域における胴周り部に、胴周り方向に収縮して胴周り部にギャザーを形成する弾性部材を有し、裏面シートの外面には摘持部を有するテープ状ファスナが、その摘持部を胴周り方向に向けて設けられている。
【特許文献１】実開平６−７７７１９号公報
【発明の開示】
【発明が解決しようとする課題】
【０００３】
前記従来のおむつにおけるテープ状ファスナは、テープ片が長さ方向ヘＺ字形または逆Ｚ字形に折り重ねられ、その折り重ねられた状態がファスニング手段（止着手段）としてテープ片に塗布されている粘着剤によって保たれている。しかし、このテープ状ファスナが取り付けられている胴周り部にギャザーが形成されると、粘着剤の粘着力のいかんによっては、テープ状ファスナを使用する前に、折り重ねられているテープ片どうしが剥離して、おむつ着用時の邪魔になったりすることがある。
【０００４】
この発明が課題とするのは、使い捨ておむつ等の使い捨て着用物品であって、ファスニング手段を有するテープ状ファスナが、使用前には徒に剥離することがなく、使用する時には容易に剥離することができるように改良された前記着用物品の提供である。
【課題を解決するための手段】
【０００５】
前記課題を解決するために、この発明が対象とするのは、肌当接面と着衣当接面とを有し、周縁が胴周り方向ヘ並行して延びる前端縁部と後端縁部と前記胴周り方向と交差して縦方向ヘ並行して延びる一対の側縁部とによって形成され、前記縦方向には股下域を中心に前記前端縁部側に前胴周り域が形成される一方、前記後端縁部側に後胴周り域が形成されていて前記前後胴周り域それぞれの側縁部どうしが取り外し可能および取り外し不能のいずれかの態様で連結されて胴周り開口と一対の脚周り開口とが形成され、前記着衣当接面における前記前後胴周り域いずれかには前記側縁部それぞれに前記胴周り方向へ延びるテープ状ファスナが取り付けられており、前記テープ状ファスナを形成しているテープ片が、その長さ方向で対向する固定端部と摘持可能な自由端部とを有し、前記固定端部が剥離不能に前記着衣当接面に固定され、前記自由端部を摘持して前記胴周り方向へ引張ると前記固定端部から前記自由端部へ向かう方向へ伸展可能であり、さらに前記テープ片は、伸展したときに前記着衣当接面側となる内面とその反対側の外面とのうちの前記内面の少なくとも一部分に前記肌当接面および前記着衣当接面いずれかの所要部位に対するファスニング手段を有している使い捨て着用物品である。
【０００６】
かかる着用物品において、この発明が特徴とするところは、次のとおりである。
前記テープ片は、前記固定端部から自由端部へ向かう方向へ伸展し得るようにＺ字形および逆Ｚ字形のいずれかに折り重ねられており、その折り重ねられた状態の上方に位置していて前記長さ方向において前記自由端部と前記自由端部に対向する第１端部とを有してこれら両端部間における前記内面に前記ファスニング手段を有している第１テープ部と、前記第１テープ部と前記着衣当接面との間に位置していて前記着衣当接面と向かい合っており前記固定端部とこの固定端部に対向する第２端部とを有する第２テープ部と、前記第１テープ部と前記第２テープ部との間に介在してこれら両テープ部を連結する前記第３テープ部とを有する。前記第３テープ部は、一端部が前記第１テープ部の前記第１端部につながるとともに前記一端部の反対端部が前記第２テープ部の前記第２端部につながり、前記一端部と前記反対端部との間において前記第１テープ部に前記ファスニング手段を介して剥離可能に接合し、かつ、前記一端部が前記第２テープ部の前記固定端部を越えて前記胴周り方向へ延びて前記着衣当接面に剥離可能に接合している。前記第２テープ部の前記第２端部と前記第３テープ部の前記反対端部とがつながる部位の近傍において、前記Ｚ字形および逆Ｚ字形のいずれかに折り重ねられて向かい合う前記テープ片の外面どうしは非接合状態にある。
【発明の効果】
【０００７】
このように構成されたこの発明に係る使い捨て着用物品では、第３テープ部の一端部が第２テープ部の固定端部を越えて着用物品の着衣当接面に剥離可能に仮止めされたりするから、テープ状ファスナは、それを使用する前に徒に剥離することがない。また、第２テープ部と第３テープ部とがつながる部位の近傍において、テープ状ファスナの互いに向かい合う外面どうしが非接合状態にあるから、テープ状ファスナは、それを使用するときに第１テープ部の自由端部を第１テープ部の第１端部から自由端部へ向かう方向へ引張れば容易に剥離する。
【０００８】
この発明には、次のような好ましい実施態様がある。
（１）前記ファスニング手段が前記内面に塗布されている粘着剤である。この種の手段を有する使い捨て着用物品では、テープ状ファスナをその着用物品を形成している不織布やプラスチックフィルム等の幅広い種類の素材に対して止着することができる。
（２）前記ファスニング手段が互いに係合、離脱するフック部材とループ部材とからなるメカニカルファスナの前記フック部材を前記内面に取り付けることによって形成され、前記所要部位が前記ループ部材を有している。この種の手段を有する使い捨て着用物品は、テープ状ファスナのループ部材に対する係合、離脱を複数回繰り返すような用途に好適である。
（３）前記ループ部材が前記肌当接面と前記着衣当接面とのいずれかを形成している不織布である。この種のループ部材を有する着用物品では、その不織布がループ部材の機能を有するから、ループ部材として格別のものを用意する必要がないという経済的なメリットがある。
（４）前記第１テープ部の前記第１端部が前記第３テープ部の前記一端部を越えて前記胴周り方向へ延びて前記着衣当接面に剥離可能に接合している。この態様の着用物品であれば、使用前のテープ状ファスナは着用物品から簡単に剥れることがない。
（５）前記第３テープ部の前記一端部が前記第２テープ部の前記固定端部を越えて前記胴周り方向へ延びる寸法が１〜１５ｍｍの範囲にある。
（６）前記着用物品が開放型の使い捨ておむつおよびパンツ型の使い捨ておむつのいずれかである。テープ状ファスナが取り付けられたこれらおむつでは、そのテープ状ファスナによっておむつを着用者の身体にフィットさせたり、使用後のおむつを廃棄するために丸めておくことができる。
【発明を実施するための最良の形態】
【０００９】
この発明に係る使い捨て着用物品として開放型の使い捨ておむつを例にとり、添付の図面を参照してその詳細を説明すると、以下のとおりである。
【００１０】
図１，２は、開放型の使い捨ておむつ１の部分破断平面図と、同図のＩＩ−ＩＩ線切断面を示す図である。おむつ１は、着用者の肌に対する当接面を形成する透液性表面シート２と、着用者の着衣に対する当接面を形成する不透液性裏面シート３と、これら両シート２，３間に介在する吸液性コア４とを有し、このおむつ１が図１では裏面シート３が上となり、表面シート２が下となるように示されている。おむつ１は、胴周り方向（図１の横方向）へ互いに並行して延びる前後の端縁部１１，１２と、胴周り方向と直交する縦方向へ互いに並行して延びる一対の側縁部１３とによって周縁形状が形成され、その縦方向には股下域８を中心に前側端縁部１１の側に前胴周り域６が形成され、後側端縁部１２の側に後胴周り域７が形成され、股下域８において側縁部１３は湾曲している。表裏面シート２，３は、コア４の周縁から延出して重なり合いホットメルト接着剤（図示せず）を介して互いに接合し、前部フラップ１６、後部フラップ１７、側部フラップ１８を形成している。前部フラップ１６と後部フラップ１７とでは、胴周り弾性部材１９が表裏面シート２，３の少なくとも一方の内面に伸長状態で接合している。側部フラップ１８では、脚周り弾性部材２１が側縁部１３の湾曲した部位に沿って伸長され、表裏面シート２，３の少なくとも一方の内面に接合している。後胴周り域７における側部フラップ１８の裏面シート３には、側縁部１３それぞれにテープ状ファスナ３０が取り付けられている。テープ状ファスナ３０は、その長さ方向が胴周り方向にあって、側縁部１３を越えておむつ１の外側へ伸展し得るようにＺ字形または逆Ｚ字形に折り重ねられている。表裏面シート２，３のそれぞれは、おむつ１の前後の端縁部１１，１２と側縁部１３とを形成する前後の端縁部２ａ，２ｂ，３ａ，３ｂと側縁部２ｃ，３ｃとを有する。表面シート２は、透液性の不織布または開孔プラスチックフィルムによって形成されており、裏面シート３は、不透液性の不織布、不透液性のプラスチックフィルム、または不透液性プラスチックの外面に不織布を積層した複合シート等によって形成されている。
【００１１】
図２から明らかなように、折り重ねられているテープ状ファスナ３０は、第１テープ部である頂部テープ３１と、第２テープ部である底部テープ３２と、これら両テープ３１，３２間に位置してこれらを連結する第３テープ部である中間部テープ３３とを有し、これら各部テープ３１〜３３は、テープ状ファスナ３０が仮想線の如く伸長したときに裏面シート３と向かい合う内面ｍと、その反対側の外面ｎとを有する。頂部テープ３１は、おむつ１における胴周り方向の内側に位置する内端部３６と、摘持が容易となるように一部分が好ましくは側縁部１３を越えておむつ１の外側にまで延びる外端部３７と、側縁部１３の内側に位置する中間部３８とを有し、これら各部３６〜３８の内面ｍには第２粘着剤３９が塗布されている。図において、外端部３７が側縁部１３を越えて外側へ延びる寸法はＳで示されており、その寸法Ｓは、０．７ｍｍ以上であることが好ましい。
【００１２】
底部テープ３２は側縁部１３に位置しておむつ１の着衣当接面と向かい合っているもので、内端部４１と、外端部４２と、中間部４３とを有し、少なくとも内端部４１がテープ状ファスナ３０の固定端部として第１粘着材４４を介して裏面シート３に剥離することがないように固定される。より好ましい底部テープ３２は、図示のように内端部４１と、中間部４３と、折り返されて中間部テープ３３につなげられている部分を除く外端部４２とが裏面シート３と向かい合うこれらの内面ｍに塗布された第１粘着材４４を介して裏面シート３に固定される。外端部４２の折り返されている部分は、中間部テープ３３と向かい合う面が第１粘着材４４を介して中間部テープ３３に剥離することがないようにつなげられる一方、折り返されることによって互いに向かい合う外面ｎどうしは非接合状態にある。
【００１３】
中間部テープ３３もまた側縁部１３の内側に位置するもので、内端部４６と、外端部４７と、中間部４８とを有し、これらの外面ｎには第３粘着剤４９が塗布されている。
【００１４】
このようなテープ状ファスナ３０では、頂部テープ３１の内端部３６が中間部テープ３３の内端部４６のうちで上方へ折り返されている部分４６ａに対して剥離することがないように接合している。頂部テープ３１の外端部３７は、頂部テープ３１の長さ方向において、側縁部１３を越えて寸法Ｓだけ延びている部分を含む適宜の範囲の第２粘着剤３９がフィルムの小片５１で覆われることによって、内外面ｍ，ｎが実質的に非粘着性となり、テープ状ファスナ３０における摘持用の自由端部を形成している。頂部テープ３１の中間部３８は、その下方、すなわち中間部３８と底部テープ３２との間に位置する中間部テープ３３の内面ｍに容易に剥離するように仮止めされている。
【００１５】
中間部テープ３３は、底部テープ３２よりも胴周り方向の内側へ長く延びている内端部４６のうちの上方ヘ折り返されている部分４６ａにおいて頂部テープ３１に剥離することがないように接合する一方、部分４６ｂにおいて裏面シート３に容易に剥離するように仮止めされている。かような部分４６ｂが中間部テープ３３の長さ方向において裏面シート３に仮止めされる長さＡは１〜１５ｍｍ程度であることが好ましい。中間部テープ３３の外端部４７は、底部テープ３２の外端部４２に剥離することがないように接合している。内端部４６と外端部４７とを除く中間部テープ３３の中間部４８は、第３粘着剤４９を介して底部テープ３２の外面ｎに容易に剥離するように仮止めされている。ただし、中間部テープ３３の中間部４８は、頂部テープ３１と底部テープ３２とのいずれかにのみ仮止めされていてもよいものである。
【００１６】
図３は、テープ状ファスナ３０を伸展させるときの初期の段階を示す図２と同様の図面である。頂部テープ３１と中間部テープ３３と底部テープ３２とが一連のものとなってＺ字形に折り重ねられた状態にあるテープ状ファスナ３０は、頂部テープ３１の外端部３７をフィルムの小片５１とともに摘んで矢印Ｐで示されるおむつ１の胴周り方向における外側へ向かって引張るか、または矢印Ｑで示されるおむつ１の胴周り方向における内側へ向かって折り返すように引張ると、Ｚ字形を形成するように底部テープ３２と中間部テープ３３とがつながる部位の近傍においては、底部テープ３２の外面ｎどうしが向かい合っていて非接合状態にあるから、その部位は図示の如く隆起する。そのようになると、頂部テープ３１と中間部テープ３３とは、角度αだけ開いて、引張られる頂部テープ３１と中間部テープ３３との間にいわゆる剥離力が作用し、これら両部テープ３１と３３とが速やかに剥離するとともに中間部テープ３３における内端部４６の部分４６ｂが裏面シート３から剥がれ、中間部テープ３３における内端部４６と外端部４７との間が底部テープ３２の中間部４３から剥れて、テープ状ファスナ３０が図２の仮想線の如く長く延びる。延びたテープ状ファスナ３０は、第２粘着剤３９を止着のための手段、すなわちファスニング手段として頂部テープ３１をおむつ１の適宜の部位に止着することができる。このようなテープ状ファスナ３０は、頂部テープ３１の内端部３６から外端部３７へ向かう方向であるおむつ１の側縁部１３の外側へ向かって、即ち矢印Ｐ方向へ伸展するように引張るだけで剥離するもので、頂部テープ３１の向きを矢印Ｑ方向へ一度反転させるように引張ることが必ずしも必要ではないという点において使い易い。
【００１７】
テープ状ファスナ３０において、第２粘着剤３９を中間部テープ３３から剥離容易にしたり、第３粘着剤４９を底部テープ３２から剥離容易にしたりするには、例えば第２粘着剤３９や第３粘着剤４９の粘着力を第１粘着剤４４の粘着力よりも低くする他に、それらのテープ３２，３３の外面ｎにシリコーンオイル等の離型剤を塗布しておくことができる。
【００１８】
かようなテープ状ファスナ３０は、それを使用するときに例えば矢印Ｐ方向へ引張れば容易に剥離して伸展するが、それを使用する前には中間部テープ３３における内端部４６の部分４６ｂが裏面シート３に剥離可能に接合していることによって、不必要に長く延びることがなく、また仮止めされている部位は不必要に剥がれるということがない。テープ状ファスナ３０は、外面ｎの全体にシリコーンオイル等が塗布されていても、中間部テープ３３の部分４６ｂは、その外面ｎではなくて通常はシリコーンオイル等が塗布されていない裏面シート３に接合しているので、テープ状ファスナ３０が矢印ＰまたはＱ方向ヘ引張られなければ剥れることがない。
【００１９】
図４，５は、テープ状ファスナ３０の使用態様を示す図面である。図４では、おむつ１が着用状態にあって、後胴周り域７から長く延びたテープ状ファスナ３０が第２粘着材３９を介して前胴周り域６における着衣当接面に剥離可能に止められている。図５では、使用済みのおむつ１が丸められ、テープ状ファスナ３０によってその丸められた状態に維持されている。このように、テープ状ファスナ３０は、おむつ１を着用するときにも、おむつ１を丸めて廃棄するときにも使用することができる。
【００２０】
図６は、この発明の実施態様の一例を示す図２と同様な図面である。この例のおむつ１におけるテープ状ファスナ３０は、頂部テープ３１の内端部３６を形成している部分３６ａが中間部テープ３３の内端部４６ａに剥離不能に接合する一方、部分３６ｂが中間部テープ３３の内端部４６を越えておむつ１の内側へ延びて第２粘着剤３９を介して裏面シート３に剥離可能に接合している。部分３６ｂは中間部テープ３３の内端部４６ｂと協働して、テープ状ファスナ３０がそれを使用する前に仮止めした部位から剥れることを防止している。かような部分３６ｂは、その防止の効果を高めたいときに、おむつ１の内側へ向かって延びる長さＢを最大５ｍｍ程度にすることができる。図２の例と図６の例とを併せて考えたときの長さＢは、０〜５ｍｍ程度と規定することができる。
【００２１】
図７もまた、この発明の実施態様の一例を示す図２と同様な図である。このおむつ１におけるテープ状ファスナ３０では、頂部テープ３１がプラスチックフィルムまたは不織布によって形成されており、頂部テープ３１の内端部３６に第４粘着剤１４０が塗布される一方、中間部テープ３３の内端部４６ａには第３粘着剤４９が塗布されており、これら第３，第４粘着剤４９，１４０を介してこれら内端部３６，４６ａどうしが剥離不能に接合している。頂部テープ３１の中間部３８の内面ｍには、フック部材とループ部材とからなるメカニカルファスナのフック部材１３９が取り付けられている。フック部材１３９は、ベースシート１４１とこのベースシート１４１に対して垂直方向に延びる複数のフック１４２とからなり、そのベースシート１４１が中間部３８の内面ｍに対して剥離不能に接合している。中間部テープ３３は、フック１４２が係合、離脱可能な複数のループを有する不織布で形成されている。底部テープ３２は、プラスチックフィルムまたは不織布で形成され、第１粘着剤４４を介して裏面シート３に剥離不能に接合するとともに、第３粘着剤４９が塗布されている中間部テープ３３の外端部４７に剥離不能に接合している。おむつ１において、表面シート２は不織布２ａで形成され、裏面シート３はプラスチックフィルム３ａとプラスチックフィルム３ａの外面にラミネートした不織布３ｂとからなる複合シートによって形成されている。これらの不織布２ａ，３ｂには、フック１４２と係合可能な複数のループを有するものが使用されている。かかるおむつ１では、頂部テープ３１の外端部３７を図１の矢印Ｐ方向へ引張ると、テープ状ファスナ３０が図３の如く変形するので、フック１４２が中間部テープ３３から離脱してテープ状ファスナ３０が直状に延びる。そのように延びたテープ状ファスナ３０は、ファスニング手段として作用するフック１４２をループ部材として作用する不織布２ａや３ｂの所要部位に係合させることができる。図７のテープ状ファスナ３０を有するおむつ１において、裏面シート３にはプラスチックフィルムを使用し、その表面シート３の所要部位にフック部１４２が係合可能な不織布等からなるターゲットゾーンを設けることも可能である。
【００２２】
開放型の使い捨ておむつを例にして説明したこの発明は、おむつ１の前後胴周り域６，７の側縁部１３どうしをおむつ着用中には簡単に取り外すことができないように溶着や接着によって連結して得られるパンツ型の使い捨ておむつや失禁患者用おむつ、トレーニングパンツ等の使い捨て着用物品においても実施することができる。
【産業上の利用可能性】
【００２３】
この発明によれば、使い易いテープ状ファスナを有する使い捨て着用物品を得ることができる。
【図面の簡単な説明】
【００２４】
【図１】使い捨ておむつの部分破断平面図。
【図２】図１のＩＩ−ＩＩ線切断面を示す図。
【図３】テープ状ファスナが引張られているときの図２と同様な図面。
【図４】テープ状ファスナの使用態様を示す図。
【図５】テープ状ファスナの使用態様の他の一例を示す図。
【図６】実施態様の一例を示す図２と同様な図面。
【図７】実施態様の一例を示す図２と同様な図面。
【符号の説明】
【００２５】
１      使い捨て着用物品（おむつ）
６      前胴周り域
７      後胴周り域
８      股下域
１１      端縁部
１３      側縁部
３０      テープ状ファスナ
３１      第１テープ部（頂部テープ）
３２      第２テープ部（底部テープ）
３３      第３テープ部（中間部テープ）
３６      第１端部（内端部）
３７      自由端部（外端部）
３９      ファスニング手段（第２粘着剤）
４１      固定端部（内端部）
４２      第２端部（外端部）
４６      一端部（内端部）
４７      反対端部（外端部）
１３９      ファスニング手段
ｍ      内面
ｎ      外面
【図１】
2004154561.tif 000003
【図２】
2004154561.tif 000004
【図３】
2004154561.tif 000005
【図４】
2004154561.tif 000006
【図５】
2004154561.tif 000007
【図６】
2004154561.tif 000008
【図７】
2004154561.tif 000009